(57)【要約】【課題】タッチパネルのキャリブレーションを消耗品の補充または交換時に行う。【解決手段】ディスプレイ４及びディスプレイ４に重畳されたタッチパネル５を有する表示装置３と、消耗品の補充または交換が行われる際に、補充または交換に係る消耗品に関する画像であって、ユーザに前記タッチパネルへのタッチを促すターゲット画像を含むキャリブレーション用画面をディスプレイ４に表示させる表示制御部５６と、ディスプレイ４にキャリブレーション用画面が表示されているときにタッチパネル５が検出した入力に基づいて、表示装置３の座標とタッチパネル５の座標との対応関係のキャリブレーションを行うキャリブレーション処理部５４とを備える。【選択図】図５
2009184253.tif 000002
【特許請求の範囲】
【請求項１】
ディスプレイ及び前記ディスプレイに重畳されたタッチパネルを有する表示装置と、
消耗品の補充または交換が行われる際に、前記補充または交換に係る消耗品に関する画像であって、ユーザに前記タッチパネルへのタッチを促すターゲット画像を含むキャリブレーション用画面を前記ディスプレイに表示させる表示制御手段と、
前記ディスプレイに前記キャリブレーション用画面が表示されているときに前記タッチパネルが検出した入力に基づいて、前記表示装置の座標と前記タッチパネルの座標との対応関係のキャリブレーションを行う手段とを備えるプリンタ。
【請求項２】
前記表示制御手段は、消耗品の交換または補充が行われる度に前記キャリブレーション用画面を表示させ、かつ、前記ディスプレイが長方形の場合、第１の交換タイミングでは、前記タッチパネルの抵抗値が最も大きい第１の頂点に近い第１の領域にターゲット画像を表示し、前記第１の交換タイミングの次の第２の交換タイミングでは、前記第１の頂点と対角に位置する第２の頂点に近い第２の領域に前記ターゲット画像を表示する請求項１記載のプリンタ。
【請求項３】
前記表示制御手段は、前記第２の交換タイミングの次の第３の交換タイミングでは、前記第２の頂点の長手方向隣の第３の頂点に近い第３の領域に前記ターゲット画像を表示する請求項２記載のプリンタ。
【請求項４】
前記プリンタは、インクカートリッジが着脱可能なインクジェットプリンタであって、
前記表示制御手段は、インクカートリッジが交換される際に、交換されるインクカートリッジのインク色を示すターゲット画像を、前記キャリブレーション用画面に表示させることを特徴とする請求項１〜３のいずれかに記載のプリンタ。
【請求項５】
前記プリンタは、少なくとも、シアン、マゼンタ、黄及び黒のインクを使用するインクジェットプリンタであり、
前記交換されるインクカートリッジのインク色が黄の場合及び黒の場合のぞれぞれの前記ターゲット画像の表示位置は、前記ディスプレイ上で互いに対角位置であることを特徴とする請求項４記載のプリンタ。
【請求項６】
前記ディスプレイにターゲット画像が表示されているときに、前記タッチパネルが、前記表示されているターゲット画像の表示位置がタッチされたことを検出すると、
前記プリンタは、前記ターゲット画像に係る色のインクカートリッジが装着されているか否かを確認し、
前記表示制御部が、確認結果を前記ディスプレイに表示させることを特徴とする請求項１〜５のいずれかに記載のプリンタ。
【発明の詳細な説明】
【技術分野】
【０００１】
本発明は、タッチパネル式の表示装置を有するプリンタでタッチパネルのキャリブレーションを行う技術に関し、特にプリンタの消耗品交換時にキャリブレーションを行うための技術に関する。
【背景技術】
【０００２】
タッチパネル式の表示装置では、タッチパネルの座標系とディスプレイの座標系とのキャリブレーションを行う必要がある（例えば、特許文献１）。
【０００３】
特許文献１には、キャリブレーション専用画面に従って、キャリブレーションを行うことが記載されている。
【特許文献１】特開平６−３５６０８号公報
【発明の開示】
【発明が解決しようとする課題】
【０００４】
従来は、このようなキャリブレーション専用画面であるから、キャリブレーションが必要になる度に、ユーザは、この画面に対して入力操作を行わねばならなかった。
【０００５】
一方、プリンタの場合、ユーザが通常の使用方法でプリンタを使用する場合、タッチパネルに触れる機会は多い。特に、プリンタでは種々の消耗品が用いられているが、これら消耗品の補充ないしは交換は、一定の周期で必ず行われることである。
【０００６】
そこで、本発明の目的は、タッチパネルのキャリブレーションを消耗品の補充または交換時に行うことである。
【課題を解決するための手段】
【０００７】
本発明の一つの実施態様に従うプリンタは、ディスプレイ及び前記ディスプレイに重畳されたタッチパネルを有する表示装置と、消耗品の補充または交換が行われる際に、前記補充または交換に係る消耗品に関する画像であって、ユーザに前記タッチパネルへのタッチを促すターゲット画像を含むキャリブレーション用画面を前記ディスプレイに表示させる表示制御手段と、前記ディスプレイに前記キャリブレーション用画面が表示されているときに前記タッチパネルが検出した入力に基づいて、前記表示装置の座標と前記タッチパネルの座標との対応関係のキャリブレーションを行う手段とを備える。
【０００８】
これにより、キャリブレーションの専用画面を設けなくても、消耗品の補充または交換時にタッチパネルのキャリブレーションを行うことができる。
【０００９】
好適な実施形態では、前記表示制御手段は、消耗品の交換または補充が行われる度に前記キャリブレーション用画面を表示させ、かつ、前記ディスプレイが長方形の場合、第１の交換タイミングでは、前記タッチパネルの抵抗値が最も大きい第１の頂点に近い第１の領域にターゲット画像を表示し、前記第１の交換タイミングの次の第２の交換タイミングでは、前記第１の頂点と対角に位置する第２の頂点に近い第２の領域に前記ターゲット画像を表示してもよい。
【００１０】
これにより、キャリブレーションを効果的に行うことができる。
【００１１】
好適な実施形態では、前記表示制御手段は、前記第２の交換タイミングの次の第３の交換タイミングでは、前記第２の頂点の長手方向隣の第３の頂点に近い第３の領域に前記ターゲット画像を表示するようにしてもよい。
【００１２】
好適な実施形態では、前記プリンタは、インクカートリッジが着脱可能なインクジェットプリンタであって、前記表示制御手段は、インクカートリッジが交換される際に、交換されるインクカートリッジのインク色を示すターゲット画像を、前記キャリブレーション用画面に表示させるようにしてもよい。
【００１３】
好適な実施形態では、前記プリンタは、少なくとも、シアン、マゼンタ、黄及び黒のインクを使用するインクジェットプリンタであり、前記交換されるインクカートリッジのインク色が黄の場合及び黒の場合のぞれぞれの前記ターゲット画像の表示位置は、前記ディスプレイ上で互いに対角位置であってもよい。
【００１４】
これにより、インクカートリッジの交換頻度が高い黄と黒を対角位置に表示させることで、キャリブレーションの効果を高めることができる。
【００１５】
好適な実施形態では、前記ディスプレイにターゲット画像が表示されているときに、前記タッチパネルが、前記表示されているターゲット画像の表示位置がタッチされたことを検出すると、前記プリンタは、前記ターゲット画像に係る色のインクカートリッジが装着されているか否かを確認し、前記表示制御部が、確認結果を前記ディスプレイに表示させてもよい。
【発明を実施するための最良の形態】
【００１６】
以下、本発明の一実施形態に係るプリンタ及びスキャナを備えた複合機について、図面を参照して説明する。
【００１７】
図１は、本実施形態に係る複合機１の外観図である。
【００１８】
複合機１は筐体１０を有し、筐体１０の内部にプリンタ及びスキャナなどが収容されている。筐体１０の正面にはユーザインタフェース装置２が設けられている。このユーザインタフェース装置２には、表示装置３が含まれている。
【００１９】
図２は、表示装置３を側面から見た構成図である。表示装置３は、ディスプレイ４と、ディスプレイ４の表示面４ａ側に重畳されたタッチパネル５とを有する。
【００２０】
ディスプレイ４は、例えば液晶ディスプレイでよい。
【００２１】
タッチパネル５は、例えば、アナログ抵抗膜方式のタッチパネルである。タッチパネル５は、抵抗膜が出力する電圧によって、ユーザが触れたタッチパネル５上の位置に対応する信号を出力する。
【００２２】
図３は、例えば、本実施形態に係るタッチパネル５を正面から見た図である。同図に示すように、タッチパネル５が長方形である場合、その一つの頂点を原点Ｏとする。このとき、タッチパネル５は、抵抗膜が出力する電圧によって、原点ＯからのＸ方向への変位量（すなわちＸ座標）に応じた信号、及びＹ方向への変位量（Ｙ座標）に応じた信号をそれぞれ出力する。ここで、Ｘ方向の変位に応じた電圧を出力する抵抗膜の抵抗値は、辺ＯＣ（Ｙ軸）から離れるほど大きくなる。同様に、Ｙ方向の変位に応じた電圧を出力する抵抗膜の抵抗値は、辺ＯＡ（Ｘ軸）から離れるほど大きくなる。従って、原点Ｏの対角に位置する頂点Ｂの近くであって、頂点Ｂをなす２辺に挟まれた領域ＲＢが、最も抵抗値が大きい領域である。さらに、頂点Ｂ以外の各頂点Ａ，Ｃ，Ｏに近く、各頂点をなす２辺に挟まれた領域ＲＡ，ＲＣ，ＲＯについては、領域ＲＡ、ＲＣ，ＲＯの順に抵抗膜の抵抗値が小さくなる。
【００２３】
図４は、本実施形態に係る複合機１のハードウェア構成図である。
【００２４】
本実施形態に係る複合機１は、同図に示すように、コントローラ２０と、表示装置３と、ＵＳＢコントローラ４１と、コントローラ２０が制御する制御対象であるプリンタ６、スキャナ３１、ヘッド３３及びペーパーフィーダ（ＰＦ）３５を有する。
【００２５】
コントローラ２０は、ＣＰＵ２１と、ＲＡＭ２３と、ＥＥＰＲＯＭ２５と、ＦＬＡＳＨ−ＲＯＭ２７とから構成される。そして、ＣＰＵ２１は、ＲＡＭ２３を主記憶装置として、ＥＥＰＲＯＭ２５及びＦＬＡＳＨ−ＲＯＭ２７などに記憶されている種々のプログラムを読み込んで制御対象であるプリンタ６等を制御する。
【００２６】
図５は、ＣＰＵ２１が所定のプログラムを実行することにより実現される機能構成を示す図である。すなわち、本実施形態に係る複合機１では、タッチパネル制御部５０と、表示制御部５６と、プリンタ制御部５８とが実現される。
【００２７】
タッチパネル制御部５０は、座標変換部５２と、キャリブレーション処理部５４とを有する。
【００２８】
座標変換部５２は、タッチパネル座標系をディスプレイ座標系に変換する。すなわち、座標変換部５２は、タッチパネル５が出力するＸ座標及びＹ座標を示す信号を、所定の変換ルールに従ってディスプレイ４上のＸ座標及びＹ座標に変換する。
【００２９】
キャリブレーション処理部５４は、座標変換部５２が行う座標変換の変換ルールのキャリブレーションを行う。タッチパネルの抵抗膜の計時変化などにより、タッチパネル５上の同じ位置が触れられた場合であっても、タッチパネル５から出力される座標値が変化するからである。本実施形態では、ディスプレイ４に消耗品の補充または交換を促す画面が表示されているときに受け付けた入力に基づいて、キャリブレーション処理部５４がキャリブレーションを行う。
【００３０】
表示制御部５６は、ディスプレイ４を制御して、所定の画像及びテキストなどを表示させる。例えば、表示制御部５６は、消耗品の補充または交換に係る消耗品に関する画像を含む画面をディスプレイ４に表示させる。この画面は、後述するように、消耗品の補充または交換を促すとともにキャリブレーションのための入力を受け付ける。
【００３１】
プリンタ制御部５８は、プリンタ６を制御して、プリンタ６に印刷を実行させたり、プリンタの状態を管理したりする。例えば、プリンタ制御部５８は、プリンタ６のステータスを示すデータを取得する。プリンタ６のステータスを示すデータは、例えば、消耗品の使用量あるいは残量を示すデータが含まれる。そして、プリンタ制御部５８は、この消耗品の使用量あるいは残量を示すデータに基づいて、消耗品の補充または交換が必要であると判断したときには、表示制御部５６にその旨を通知して、ディスプレイ４に消耗品の補充または交換を促す画面を表示させる。
【００３２】
次に、プリンタ６が、シアン（Ｃ）、マゼンタ（Ｍ）、黄色（Ｙ）、黒（Ｂ）のインクを使用するインクジェットプリンタであるときの、インクカートリッジ交換の際に表示装置３に表示する画面について説明する。
【００３３】
まず、プリンタ制御部５８が、プリンタ６から取得したステータスデータに基づいて、いずれかのインクカートリッジがインクエンドないしはニアエンドであることを検出すると、表示制御部５６がディスプレイ４に、図６Ａ〜Ｃに示すようなカートリッジの交換を促すとともにキャリブレーションのための入力を受け付けるキャリブレーション画面１００を表示させる。各画面１００には、インクエンドないしはニアエンドとなったカートリッジのインク色を示すターゲット画像１１１〜１１３が表示されている。ターゲット画像１１１〜１１３は、ユーザにタッチパネル５へのタッチを促す画像であり、さらに、ユーザがタッチすべき位置を示す画像である。複数のインクカートリッジが同時にインクエンドないしはニアエンドになれば、同一画面に複数のターゲット画像が表示されてもよい。
【００３４】
図６に示すキャリブレーション画面１００に対してユーザがタッチしたことをタッチパネル５が検出すると、キャリブレーション処理部５４は、そのときタッチパネル５が検出した位置座標に基づいてキャリブレーションを行う。キャリブレーション処理部５４は、ターゲット画像が表示された位置のディスプレイ座標と、タッチパネル５が検出した位置のタッチパネル座標を取得して、座標変換部５２の変換ルールのキャリブレーションを行う。つまり、タッチパネル５が検出した位置のタッチパネル座標が、ターゲット画像が表示された位置のディスプレイ座標に変換されるように、座標変換部５２の変換ルールを修正する。
【００３５】
キャリブレーション画面１００は、インクエンドないしはニアエンドが検出されるごと、つまり、カートリッジの交換が必要となる度に表示される。キャリブレーション画面１００におけるターゲット画像は、図６の例のように、領域ＲＡ，ＲＢ，ＲＣ，ＲＯのいずれかに表示されるようにしてもよい。例えば、領域ＲＡ，ＲＢ，ＲＣ，ＲＯの中で予め順序が定められていて、インクエンドないしはニアエンドになるごとに、その順序に従ってターゲット画像の表示位置が変わるようにしてもよい。例えば、その順序が領域ＲＢ→ＲＯ→ＲＡ→ＲＣである場合、キャリブレーション画面１００は以下のようになる。すなわち、あるカートリッジ（例えばシアン）がインクエンドになると（第１の交換タイミング）、領域ＲＢにターゲット画像が表示される（図６Ａ）。その次にあるカートリッジ（例えば黄色）がインクエンドないしはニアエンドになると（第２の交換タイミング）、領域ＲＯにターゲット画像が表示される（図６Ｂ）。さらにその次に、あるカートリッジ（例えば黒）がインクエンドないしはニアエンドになると（第３の交換タイミング）、領域ＲＡにターゲット画像が表示される（図６Ｃ）。
【００３６】
各頂点の内側の四隅の領域にターゲット画像を表示させるのは、以下の理由による。すなわち、図３において説明したように、タッチパネル５を構成する抵抗膜の抵抗値は、領域ＲＢのあたりが最も大きい。従って、領域ＲＢのあたりが抵抗値の変化（ズレ）も最も大きくなるので、領域ＲＢの調整を優先させている。次に、領域ＲＢと対角位置の領域ＲＯにおいて調整を行うのが好ましい。さらにその次は、領域ＲＯの長手方向隣の頂点に近い領域ＲＢの方が原点Ｏからの距離が大きいので、領域ＲＣよりも先に調整するのが好ましい。
【００３７】
また、キャリブレーション画面１００は、図７のように表示してもよい。図７に示すキャリブレーション画面１００は、インク色に対応するターゲット画像１２１〜１２４の表示位置が固定である。この場合、同図に示すように、領域ＲＢに黄色、領域ＲＯに黒、領域ＲＢにシアン、領域ＲＣにマゼンタの、各ターゲット画像を表示するようにしてもよい。領域ＲＡ，ＲＢ，ＲＣ，ＲＯには、上述したような優先順位があるが、インクが消費される速度の順位とこの優先順位とが対応している。同図のキャリブレーション画像では、カートリッジを交換する前または交換した後に、交換に係るカートリッジのインク色に対応するターゲット画像及び中央のＯＫボタン１２５を、ユーザにタッチさせるようにしてもよい。
【００３８】
例えば、ユーザがインクカートリッジを交換した後にキャリブレーション画面１００のターゲット画像をタッチすると、プリンタ制御部５８は、タッチパネル制御部５０からそのタッチを検出した旨の通知を受けると、ターゲット画像に係るカートリッジが交換されたか否かを確認するようにしてもよい。
【００３９】
図８は、この確認画面２００の一例を示す。プリンタ制御部５８が、図６または図７のいずれかのキャリブレーション画面１００においてターゲット画像の表示位置がタッチされたことを検出すると、プリンタ制御部５８は、プリンタ６からターゲット画像のインク色のカートリッジの残量またはＩＤを取得して、カートリッジが交換されたことを確認する。そして、カートリッジが交換されていたときに、図８の確認画面２００をディスプレイ４へ表示させるようにしてもよい。
【００４０】
本実施形態によれば、タッチパネルのキャリブレーションを消耗品の補充または交換時に行うことができる。これにより、キャリブレーション専用画面を用意しなくても、消耗品の補充または交換のための画面でキャリブレーションのための入力を受けることができる。
【００４１】
これにより、ユーザに特に意識させることなく、キャリブレーションを実行することができる。
【００４２】
さらに、プリンタにおいては、消耗品の補充または交換は所定以上の頻度で生じるので、キャリブレーションを行うタイミングを消耗品の補充または交換と同期させることにより、ユーザにキャリブレーションを所定以上の頻度で実行させることができる。
【００４３】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００４４】
例えば、上述の実施形態では、プリンタとしてインクジェットプリンタが用いられている場合を例に説明したが、レーザプリンタ、ドットインパクトプリンタ、あるいはサーマルプリンタなどにも適用可能である。
【図面の簡単な説明】
【００４５】
【図１】本発明の一実施形態に係る複合機１の外観図である。
【図２】表示装置３を側面から見た構成図である。
【図３】タッチパネル５を正面から見た図である。
【図４】本実施形態に係る複合機１のハードウェア構成図である。
【図５】本実施形態に係る複合機１の機能構成図である。
【図６】キャリブレーション画面の表示例を示す。
【図７】キャリブレーション画面の表示例を示す。
【図８】確認画面の一例を示す。
【符号の説明】
【００４６】
１           複合機
２           ユーザインタフェース装置
３           表示装置
４           ディスプレイ
５           タッチパネル
６           プリンタ
２０       コントローラ
５０       タッチパネル制御部
５２       座標変換部
５４       キャリブレーション処理部
５６       表示制御部
５８       プリンタ制御部
【図１】
2009184253.tif 000003
【図２】
2009184253.tif 000004
【図３】
2009184253.tif 000005
【図４】
2009184253.tif 000006
【図５】
2009184253.tif 000007
【図６】
2009184253.tif 000008
【図７】
2009184253.tif 000009
【図８】
2009184253.tif 000010